(57)【特許請求の範囲】
【請求項１】
箱形のキャビネットの底面部に吸気口を設けると共に上面部に排気口を設け、
前記キャビネット内に底面部から間隔をあけてパワーユニットを配置し、
前記パワーユニットと前記上面部との間にこれら両方との間に間隔をあけて電子機器を配置し、
前記パワーユニットの水平中央部に上下方向に貫通する通気孔を設け、
前記通気孔を、前記吸気口と前記排気口との間の上下方向の空気の流れが通るように、前記吸気口、前記通気孔及び前記排気口を配置するよう構成されたことを特徴とする電気装置。
【請求項２】
前記通気孔の上部又は下部にファンを設けたことを特徴とする請求項１に記載の電気装置。
【請求項３】
前記通気孔の内周面に上下方向へ延在する放熱フィンを設けたことを特徴とする請求項１又は２に記載の電気装置。
【発明の詳細な説明】
【０００１】
【発明の属する技術分野】
本発明は、ＬＡＮやＷＡＮ等のデータ通信ネットワーク、その他に使用される電気装置に係り、特に、パワーユニットから発生する熱の放散を改良した電気装置に関する。
【０００２】
【従来の技術】
従来、この種の電気装置は、底面中央部に方形の吸気口を設けた箱形のキャビネット内に棚を多段に設け、最下段の棚にパワーユニットを搭載する一方、その上方の各棚にプリント板等の電子機器を搭載し、パワーユニットや電子機器から発生する熱をキャビネット外へ排出するため、複数の排気ファンをキャビネットの上面等に取り付けて構成されている。
【０００３】
【発明が解決しようとする課題】
しかし、従来の電気装置では、最下段の棚に搭載されたパワーユニットが、吸気口から吸気された冷却空気の通気を阻害するので、パワーユニット及び電子機器の十分な冷却を行うことができず、局所的に蓄熱され、パワーユニット、電子機器の機能低下等を招来する不具合がある。
かかる不具合は、パワーユニットの発熱量が大きな場合に顕著となる。
【０００４】
そこで、本発明は、パワーユニットから発生する熱の放散を良好とし得る電気装置を提供することを目的とする。
【０００５】
【課題を解決するための手段】
前記課題を解決するため、本発明の第１の電気装置は、
箱形のキャビネットの底面部に吸気口を設けると共に上面部に排気口を設け、
前記キャビネット内に底面部から間隔をあけてパワーユニットを配置し、
前記パワーユニットと前記上面部との間にこれら両方との間に間隔をあけて電子機器を配置し、
前記パワーユニットの水平中央部に上下方向に貫通する通気孔を設け、
前記通気孔を、前記吸気口と前記排気口との間の上下方向の空気の流れが通るように、前記吸気口、前記通気孔及び前記排気口を配置するよう構成されたことを特徴とする。
【０００６】
第２の電気装置は、第１のものにおいて、前記通気筒の上部又は下部にファンを設けたことを特徴とする。
【０００７】
又、第３の電気装置は、第１又は第２のものにおいて、前記通気筒の内周面に上下方向へ延在する放熱フィンを設けたことを特徴とする。
【０００８】
【作用】
第１の電気装置においては、通気筒が、吸気口から吸気される冷却空気の通路及びパワーユニットからの熱の放散路として機能する。
【０００９】
第２の電気装置においては、第１のものによる作用の他、通気筒内の通気が強制的に行われる。
【００１０】
又、第３の電気装置においては、第１又は第２のものによる作用の他、ケース内の熱の放熱効率が高まる。
【００１１】
【発明の実施の形態】
以下、本発明の実施の形態について図面を参照して説明する。
図１は本発明に係る電気装置の第１の実施の形態を示す一部を破断した正面図である。
図中１はＳＰＣＣ等の鋼板からなる縦長箱形のキャビネットで、このキャビネット１の前面は、扉２を介して開閉可能に設けられている。
キャビネット１には、エキスパンドメタル（図示せず）を内貼りした方形の吸気口３が下面中央に設けられている一方、複数の排気ファン（図示せず）を有する排気ユニット４を内装した排気口５が上面に設けられている。
【００１２】
キャビネット１の内側面には、アングル状の多数の棚枠６が対向して多段に設けられている。
２段目以上の棚枠６には、プリント板等の電子機器７が載置されている一方、１段目、すなわち、最下段の棚枠７には、パワーユニット（図示せず）を収容した箱形のケース８が載置されている。
ケース８は、ＳＰＣＣ等の鋼板からなるもので、図２〜図５に示すように、密閉した扁平な箱形のケース本体９と、ケース本体９の中央部に設けられ、キャビネット１の吸気口３と連通し、かつ、上下方向へ貫通する角筒状の通気筒１０とから構成されており、ケース８自体が恰かも中空の角筒状を呈している。
ケース本体９は、上、下及び前、後を開口した直方体状の枠体１１、枠体１１の上、下面を閉鎖すると共に、中央部に全面積の約１／３に及ぶ矩形の通気口１２ａ，１３ａを設けた上、下面パネル１２，１３、及び枠体１１の前、後の側面を閉鎖すると共に、ブレーカー、接続端子等（いずれも図示せず）が装着される前、後面パネル１４，１５からなる。
図１において２ａは扉２のノブである。
【００１３】
上記構成の電気装置において、排気ユニット４の作動に伴って吸気口３からキャビネット１内に吸気された冷却空気は、パワーユニットを収容したケース８の通気筒１０を通過しながらパワーユニットから放散される熱を吸熱した後、各段の電子機器７から放散される熱を吸熱し、しかる後に、排気口５からキャビネット１外へ排出される。
このように、上記構成の電気装置においては、ケース８の通気筒１０が、吸気口３から吸気される冷却空気の通路及びパワーユニットからの熱の放散路として機能するので、従来のように局所的に蓄熱され、パワーユニット、電子機器の機能低下等を招来することはなく、パワーユニットから発生する熱の放散を良好に行うことができる。
【００１４】
図６は本発明に係る電気装置の第２の実施の形態の要部を示す概略斜視図である。
この電気装置は、パワーユニットを収容するケース１６を、第１の実施の形態のものと同様に密閉した扁平な箱形のケース本体１７と、ケース本体１７の中央部に設けられ、キャビネットの吸気口と連通し、かつ、上下方向へ貫通する角筒状の通気筒１８とで構成し、通気筒１８の上部に２つのファン１９を設けたものである。
他の構成は、第１の実施の形態のものと同様であるので、その説明を省略する。
【００１５】
上記構成の電気装置においては、第１の実施の形態のものと同様の作用効果が得られる他、通気筒１８内の冷却空気の通気が強制的に行われるので、パワーユニットからの熱の放散を一層良好に行うことができる。
【００１６】
図７は本発明に係る電気装置の第３の実施の形態の要部を示す概略斜視図である。
この電気装置は、パワーユニットを収容するケース２０を、第１の実施の形態のものと同様に、密閉した扁平な箱形のケース本体２１と、ケース本体２１の中央部に設けられ、キャビネットの吸気口と連通し、かつ、上下方向へ貫通した角筒状の通気筒２２とで構成し、通気筒２２の内周面に上下方向へ延在する多数の放熱フィン２３を設けたものである。
他の構成は、第１の実施の形態のものと同様であるので、その説明を省略する。
【００１７】
上記構成の電気装置においては、第１の実施の形態のものと同様の作用効果が得られる他、ケース２０内のパワーユニットによる熱の放熱効率が高まるので、パワーユニットからの熱の放散を一層良好に行うことができる。
【００１８】
なお、第２、第３の実施の形態においては、通気筒１８，２２にファン１９と放熱フィン２３を個別に設ける場合について説明したが、これに限定されるものではなく、通気筒にファンと放熱フィンの両方を設けるようにしてもよい。
このようにすることにより、パワーユニットからの熱の放散をより一層良好に行うことができる。
又、ファンは、２個とする場合に限らず、１つ又は３つ以上としてもよい。
【００１９】
【発明の効果】
以上説明したように、本発明の第１の電気装置によれば、通気筒が、吸気口から吸気される冷却空気の通路及びパワーユニットからの熱の放散路として機能するので、パワーユニットから発生する熱の放散を良好に行うことができる。
【００２０】
第２の電気装置によれば、第１のものによる作用効果の他、通気筒内の通気が強制的に行われるので、パワーユニットから発生する熱の放散を一層良好に行うことができる。
【００２１】
又、第３の電気装置によれば、第１又は第２のものによる作用効果の他、ケース内の熱の放熱効率が高まるので、パワーユニットから発生する熱の放散を一層良好に行うことがでる。
【図面の簡単な説明】
【図１】本発明に係る電気装置の第１の実施の形態を示す一部を破断した正面図である。
【図２】図１の装置の要部であるケースの平面図である。
【図３】図２のケースの正面図である。
【図４】図２のケースの右側面図である。
【図５】図２のケースの分解斜視図である。
【図６】本発明に係る電気装置の第２の実施の形態を示す要部の概略斜視図である。
【図７】本発明に係る電気装置の第３の実施の形態を示す要部の概略斜視図である。
【符号の説明】
１  キャビネット
３  吸気口
５  排気口
６  棚枠
７  電子機器
８  ケース
１０  通気筒
１６  ケース
１８  通気筒
１９  ファン
２０  ケース
２２  通気筒
２３  放熱フィン
【図１】
0003992950.tif 000002
【図２】
0003992950.tif 000003
【図３】
0003992950.tif 000004
【図４】
0003992950.tif 000005
【図５】
0003992950.tif 000006
【図６】
0003992950.tif 000007
【図７】
0003992950.tif 000008